(57)【特許請求の範囲】
【請求項１】
鍵をコード化するための中空幾何形状を画定する少なくとも１つのコーディング・キャビティー（５５；５５’；５５”；１１１；１５５、１５５’；２０２、２０３；２１０；２２２；２３２、２３３；２４２；２５５）を備え、前記幾何形状が少なくとも１つの内部アンダカット（６０ａ、６０ｂ；２０２ａ、２０３ａ；２３０、２３１；２５０、２５１）を含み、
前記少なくとも１つのコーディング・キャビティーが、壁（４３）によって画定され且つ延長方向（５４）に延在し、前記少なくとも１つの内部アンダカット（６０ａ、６０ｂ；２０２ａ、２０３ａ；２３０、２３１；２５０、２５１）が、前記壁と一体に作られ、且つ延在方向を横断する平面で見て前記延長方向の周りで３６０度未満にわたって延在する、鍵。
【請求項２】
前記少なくとも１つのコーディング・キャビティー（５５；５５’；５５”；１１１；１５５、１５５’；２０２、２０３；２１０；２２２；２３２、２３３；２４２；２５５）内に配置された少なくとも１つのチャネル（６０；６０’；６０”；６１；６１’；６２；２４０、２４１；２５２、２５３）を備え、前記少なくとも１つのアンダカット（６０ａ、６０ｂ；２０２ａ、２０３ａ；２３０、２３１；２５０、２５１）が前記少なくとも１つのチャネルの一部分によって形成される、請求項１に記載の鍵。
【請求項３】
前記チャネル（６０；６０’；６０”；６１；６１’；６２；２４０、２４１；２５２、２５３）の形状及び／又は寸法が、前記チャネルの行路に沿って変化する、請求項２に記載の鍵。
【請求項４】
前記少なくとも１つのコーディング・キャビティー内に配置され且つ交差又は分離した行路を有する少なくとも２つのチャネル（６０；６０’；６１；６１’；２４０、２４１；２５２、２５３）を備える、請求項１から３までのいずれか一項に記載の鍵。
【請求項５】
前記少なくとも１つのコーディング・キャビティーが、１つ又は複数の穴（６８；６９；２１４；２２３）を備える鍵本体（５２）内に形成され、前記１つ又は複数の穴（６８；６９；２１４；２２３）が、前記少なくとも１つのコーディング・キャビティーの内側から前記鍵本体を貫いて外側まで延在する、請求項１から４までのいずれか一項に記載の鍵。
【請求項６】
前記鍵の追加的なコーディングのための外部幾何形状を有する鍵本体（５２’；１１２；２００ａ；２３５）をさらに備え、好ましくは前記外部幾何形状が、凹み（６３；２６３）、穴、歯、及び／又は溝を備える、請求項１から５までのいずれか一項に記載の鍵。
【請求項７】
鍵本体に対して可動に配置され且つ前記鍵の追加的なコーディングのために機能する部品をさらに備える、請求項１から６までのいずれか一項に記載の鍵。
【請求項８】
前記鍵の追加的なコーディングのために、電子センサ、生物測定センサ、磁気センサ、及び光センサ（６４、６５；１１３、１１４）のうちの少なくとも１つをさらに備える、請求項１から７までのいずれか一項に記載の鍵。
【請求項９】
前記鍵が、前記少なくとも１つのコーディング・キャビティーが形成される第１の端部（１０９）と、前記鍵の追加的なコーディングを含む第２の端部（１１２）とを有し、前記第１及び第２の端部（１０９；１１２）が錠に挿入可能である、請求項１から８までのいずれか一項に記載の鍵。
【請求項１０】
少なくとも部分的に金属、セラミック、及び／又はプラスチックで作られた、請求項１から９までのいずれか一項に記載の鍵。
【請求項１１】
対向した側部（６０ｃ、６０ｄ）によって画定されている少なくとも１つのコーディング経路（６０；６０’；６０”；６１；６１’；６２；２４０、２４１；２５２、２５３）を備え、前記対向した側部（６０ｃ、６０ｄ）が、前記少なくとも１つのアンダカット（６０；６０’；６０”；６１；６１’；６２；２４０、２４１；２５２、２５３）を形成するための非直線状の行路に沿って前記少なくとも１つのコーディング・キャビティー内で第１の端部から第２の端部まで延在し、前記第２の端部が、前記第１の端部から離間され、好ましくは前記側部が、前記少なくとも１つのコーディング・キャビティーを画定する壁（５３）と一体に作られる、請求項１から１０までのいずれか一項に記載の鍵。
【請求項１２】
請求項１から１１までのいずれか一項に記載の鍵を認証するための錠であって、
前記鍵（５０、５０’）を導入するための鍵キャビティー（１５）を含むハウジング（１１）と、
前記錠に使用される前記鍵が正しいコーディングを有する場合に可動である駆動部品（１４）と、
前記駆動部品に連結されたブロッキング手段（２１、２２；２１３；２２１）であって、前記錠に使用される前記鍵が正しくないコーディングを有する場合に前記駆動部品の運動がブロックされるブロッキング状態と、前記錠に使用される前記鍵が正しいコーディングを有する場合に前記駆動部品が可動である非ブロッキング状態とを有するブロッキング手段（２１、２２；２１３；２２１）と、
前記錠に使用される前記鍵が正しいコーディングを有する場合に前記ブロッキング手段の前記状態を変更するために前記ブロッキング手段に連結された認証手段（２５、２６；１１６；２１２；２２０）と
を備え、
前記認証手段（２５、２６；１１６；２１２；２２０）が、前記認証手段を少なくとも部分的に前記鍵の前記コーディング・キャビティー（５５；５５’；５５”；１１１；１５５、１５５’；２０２、２０３；２１０；２２２；２３２、２３３；２４２；２５５）内に導入するために、また、前記コーディング・キャビティーの前記内側面を検知するために、少なくとも部分的に前記鍵キャビティー（１５）内に突出し、
前記ブロッキング手段（２１、２２；２１３；２２１）がバー（２１；２１３；２２１）を含み、前記バー（２１；２１３；２２１）が、前記非ブロッキング状態において、固定子（２０）に作りつけられた溝（２０ｃ）と前記認証手段（２５、２６）に作りつけられた溝（２５ａ、２６ｅ；２１２ａ；２２０ａ）との間で可動であることを特徴とする、錠。
【請求項１３】
前記認証手段（２５、２６；１１６；２１２；２２０）が、前記ハウジング（１１）に対して可動である、請求項１２に記載の錠。
【請求項１４】
前記認証手段（２５、２６；２１２；２２０）が、固定子（２０）上に可動に配置され且つ好ましくは円板状である少なくとも１つの従動要素（２６；２１２；２２０）を含む、請求項１２又は１３に記載の錠。
【請求項１５】
前記従動要素（２６；２１２；２２０）が、前記鍵が挿入されたときに前記コーディング・キャビティー（５５；５５’；５５”；１１１；１５５、１５５’；２０２、２０３；２１０；２２２；２３２、２３３；２４２；２５５）に接触する少なくとも１つの突起（２６ｂ；２６ｂ’；２６ｂ”）を備える、請求項１４に記載の錠。
【請求項１６】
前記非ブロッキング状態において、前記認証手段（２５、２６；２１２；２２０）が、固定子（２０）の周りを回転することができる部品に含まれる、請求項１２から１５までのいずれか一項に記載の錠。
【請求項１７】
前記ブロッキング手段（２１、２２；２１３；２２１）が、機械的構成要素（２１；２１３；２２１）を含み、前記従動要素（２６；２１２；２２０）が、前記機械的構成要素の一部分を受け入れるための少なくとも１つのノッチ（２６ｅ；２１２ａ；２２０ａ）を備える、請求項１４から１６までのいずれか一項に記載の錠。
【請求項１８】
前記バー（２１；２１３；２２１）を前記固定子（２０）の前記溝（２０ｃ）内に付勢するためのプレストレス手段（２２）をさらに備える、請求項１２から１７までのいずれか一項に記載の錠。
【請求項１９】
前記認証手段（２５、２６）が、スペーサ要素（２５）間に配置された従動要素（２６）を含み、前記ブロッキング状態において、前記スペーサ要素（２５）が固定子（２０）上に固定して配置され、前記従動要素（２６）が前記固定子（２０）上に可動に配置される、請求項１２から１８までのいずれか一項に記載の錠。
【請求項２０】
前記スペーサ要素（２６）が、前記鍵内での係合のための係合手段（２５ｂ）を備える、請求項１９に記載の錠。
【請求項２１】
前記鍵キャビティー（１５）が、前記鍵の前記コーディング・キャビティー（５５；５５’；５５”；１１１；１５５、１５５’；２０２ａ、２０３ａ；２３０、２３１；２５０、２５１）を含む部分（５２；５２’；１１２）を受け入れるための環状断面を有する、請求項１２から２０までのいずれか一項に記載の錠。
【請求項２２】
請求項１２に記載の鍵を認証するように構成され、前記認証手段（２５、２６；１１６；２１２；２２０）が、少なくとも１つの従動要素（２６；２１２；２２０）を含み、前記少なくとも１つの従動要素（２６；２１２；２２０）が、前記鍵が前記鍵キャビティーに挿入されたときに前記鍵の前記少なくとも１つのコーディング経路（６０；６０’；６０”；６１；６１’；６２；２４０、２４１；２５２、２５３）と係合し且つそれを辿るように可動に配置される、請求項１２から２１までのいずれか一項に記載の錠。
【請求項２３】
前記鍵が、前記鍵を直線方向に動かすことにより前記鍵キャビティー（１５）に挿入可能であり、前記少なくとも１つの従動要素（２６；２１２；２２０）が、前記直線方向を横断する平面において可動に配置される、請求項２２に記載の錠。
【請求項２４】
付加製造法が適用される、請求項１から１１までのいずれか一項に記載の鍵を製造するための方法。
【請求項２５】
請求項１から１１までのいずれか一項に記載の鍵を認証するための、機械的、電気的、電子的、磁気的、及び／又は光学的な手段の使用。
【発明の詳細な説明】
【技術分野】
【０００１】
本開示は、鍵及び錠に関する。
【背景技術】
【０００２】
この２、３０年で、シリンダ錠の技術分野における多くの著しい技術的改善が市場に導入されてきた。それらはとりわけ、錠の組合せの数及び／又は鍵の複製の難しさを増すことを目的とした。
【０００３】
典型的には、鍵の組合せの数を増やすことにおける改善は、
−  タンブラ・ピン及び穴の数を増やすこと、
−  鍵輪郭及びシリンダ内の対応する鍵穴において非常に複雑な形状又は変形例を持つ鍵を作ること、
−  タンブラ・ピン及び駆動体の形状を変更すること
によって得られてきた。
【０００４】
そのような改善はまた、偽鍵を作る印象法を含む錠前破り技法を、より難しくした。
【０００５】
シリンダ錠はまた、鍵の複製をより複雑にするように構成されてきた。そのような改善は、主に、固有の形状の鍵歯（ｂｉｔｔｉｎｇ）、並びに各タンブラ・ピンと駆動体の対の軸線方向及び径方向の配向の変化から成り立った。結果として、様々な形状を持つ鍵（即ち、平坦な鍵、冠形の鍵、釘形の鍵、等）が構成されてきた。
【０００６】
適切に設計されたシリンダ錠の技術分野における改善にもかかわらず、それらの錠のセキュリティは、とりわけ以下の要因により、なおも制限される：
−  １つ又は２つの軸線を有する鍵を前提に動作する従来の機械を使用することにより、不正な複製物が容易に得られ得る；
−  現在のところ、鍵は単純な設計及び構造を有し、その外部特徴は、熟達者が容易に読み取ることができ、また、印象法によって、又は単純な切断ツールの使用によってすら複製され得る。
【０００７】
限定された鍵組合せの数は、ａ）錠構成要素の幅を狭める小型で薄い鍵に対する市場の需要；ｂ）１つ又は２つの次元、即ち、鍵歯の軸線方向の位置及び深さのみに基づく鍵の製造；ｃ）錠のコスト及び複雑さを増すことなしにタンブラ・ピンの数を一定の数よりも増やすことに関する技術的な限界などの、一連の要因に起因する。
【０００８】
繰り返すが、鍵が２つの次元しか持たず、したがって種々の構成要素の幾何学的及び位置的な公差を悪用することで容易にコピーされ得るので、錠前破り技法が実行可能であり、錠のセキュリティが低められる。この技術的背景の中に、米国特許第３，７２２，２４０号及び米国特許第ＲＥ３０，１９８号が入った。これらの特許は、「タンブラ・ピンの角度位置調整」又は「ダブル・ロッキング・システム」の原理を導入することにより、シリンダ形錠の技術分野の状況を大きく改善した。この改善は、慣例的なピンの高度位置調整に加えて、タンブラ・ピンの回転位置調整の導入に基づく。この要因は、利用可能な鍵組合せの数を著しく増やした。
【０００９】
鍵歯の数が徐々に増加したことにより、唯一の鍵の数がより多くなり、それ特有のもの以外のシリンダを操作する鍵の可能性が大幅に低下した。この改善はまた、鍵の複製を、鍵歯の深さだけでなく鍵歯の角度位置調整も再現することができる専用の機械によってのみ可能なものにした。
【００１０】
上述のこの分野における技術的進歩にもかかわらず、現在の市場は、新規な幾何形状の概念を有し、且つ、セキュリティ特徴への容易なアクセスを可能とすることも従来の機械での鍵と錠のシステムの複製を可能にすることもない、より洗練され且つ安全な鍵と錠のシステムを要求する。
【先行技術文献】
【特許文献】
【００１１】
【特許文献１】米国特許第３，７２２，２４０号
【特許文献２】米国特許第ＲＥ３０，１９８号
【発明の概要】
【発明が解決しようとする課題】
【００１２】
本開示の目的は、複製に対して強化された安全水準を有する鍵を提供すること、及び、そのような鍵に使用できる錠を提供することである。
【課題を解決するための手段】
【００１３】
目的を解決するために、請求項１に記載の鍵が提供される。また、請求項１２に記載の錠が提供される。請求項２４によれば、鍵を製作するための方法が提供される。さらなる請求項は、鍵、方法、及び錠の追加的な実施例、並びに鍵を認証するための手段の使用を明示する。
【００１４】
一態様によれば、鍵が、鍵をコード化するための中空幾何形状を画定する少なくとも１つのコーディング・キャビティーを備え、中空幾何形状は、少なくとも１つの内部アンダカットを含む。
【００１５】
別の態様によれば、付加製造法が適用される、鍵を製作するための方法が提供される。
【００１６】
さらなる態様によれば、錠が、鍵及び認証手段を導入するための鍵キャビティーを含むハウジングを備え、認証手段は、認証手段を少なくとも部分的に鍵のコーディング・キャビティー内に導入するために、また、コーディング・キャビティーの内側面を検知するために、少なくとも部分的に鍵キャビティー内に突出する。錠は、本開示の鍵を認証するのに適している。
【００１７】
当技術分野で知られている機械式セキュリティ鍵とは対照的に、セキュリティ特徴のうちの少なくとも幾つかは、容易には見られないか又は全く不可視ですらあるように、使用者から見えないようにすることができる。
【００１８】
鍵は、少なくとも１つのコーディング・キャビティーを画定する壁を備え得る。少なくとも１つの内部アンダカットが、壁と一体に作られ得る。壁は、例えば付加製造法を用いることにより、固体であってもよく且つ／又は１つの部品から作られてもよい。
【００１９】
少なくとも１つの内部アンダカットが、少なくとも１つのコーディング・キャビティーが延在する延長方向の周りで３６０度未満にわたって延在し得る。したがって、１つ又は複数の自由空間が提供され、それにより、鍵を錠に挿入することにより鍵が認証され得るように錠を構成することが可能になり、挿入において、鍵は直線方向に動かされる。
【００２０】
鍵は、線形構造の形態をした少なくとも１つのコーディング経路を備えることができる。コーディング経路は、対向した側部によって画定され得る。側部は、非環状であってもよく、即ち、少なくとも１つのコーディング・キャビティーを画定する壁の周りで３６０度未満にわたって延在し得る。側部は、少なくとも１つのアンダカットを形成するための非直線状の行路に沿って少なくとも１つのキャビティー内で第１の端部から第２の端部まで延在することができ、第２の端部は、第１の端部から離間している。
【００２１】
コーディング経路の対向した側部は、１つ又は複数のチャネル区間及び１つ又は複数の隆起区間、例えば隆起区間が後に続く第１のチャネル区間の、チャネル、隆起、若しくはラインを画定することができる。したがって、コーディング経路は、ネガ及び／又はポジの構造として壁内に形成される。対向した側部間に配置された、コーディング経路の中間側部は、チャネルの底部及び／又は隆起の頂部を画定する。この中間側部の深さ及び／又は高さは、コーディング経路の行路に沿って変化し得る。コーディング経路の断面もまた、対向した側部及び／又は中間側部の形状が変化するように、その行路に沿って変化し得る。
【００２２】
少なくとも１つのコーディング経路の存在は、コーディング経路が鍵の認証手段のためのガイドとして機能することができ、それにより錠への鍵の挿入が容易になるという利点を有する。
【００２３】
コーディング・キャビティーを備える鍵本体部分は、単一の本体部分で作られ得る（単体本体部分）。鍵本体部分及びハンドリング部分又はハンドリング区間を含み得る鍵全体が、単体で作られてもよい。代替案では、鍵本体部分は、複数の鍵本体副部品で作られ得る。
【００２４】
鍵本体部分、又は全体としての鍵は、可動部品を１つも含まなくてもよい。
【００２５】
鍵本体部分は、シリンダ形状を備え得る。シリンダの断面は、円形、三角形、矩形、及び楕円形のうちの１つであり得る。
【００２６】
コーディング・キャビティーを備える鍵本体部分は、側壁に関しては基本的に閉じられた本体であり得るが、コーディング・キャビティー内への前方開口部が、鍵本体部分の前側に設けられる。
【００２７】
コーディング・キャビティーの先端部分は、鍵コード化構造又はコード化手段を１つも含まなくてもよい。要するに、この実施例では、少なくとも内部アンダカットが、先端部分の外側に配置される。
【００２８】
鍵は、少なくとも１つのコーディング・キャビティー内に配置された少なくとも１つのチャネルを含むことができ、少なくとも１つのアンダカットは、少なくとも１つのチャネルの一部分によって形成される。
【００２９】
チャネルの形状及び／又は寸法は、チャネルの行路に沿って変化し得る。
【００３０】
鍵は、少なくとも１つのコーディング・キャビティー内に配置され、且つ交差した又は分離した行路を有する、少なくとも２つのチャネルを含むことができる。
【００３１】
少なくとも１つのコーディング・キャビティーは、少なくとも１つのコーディング・キャビティーの内側から鍵本体を貫いて外側まで延在する１つ又は複数の穴を備える、鍵本体部分とも呼ばれ得る鍵本体に形成されてもよい。
【００３２】
鍵は、鍵の付加的なコーディングのための外部幾何形状を有する鍵本体を含むことができる。外部幾何形状は、凹み、穴、歯、及び／又は溝を含むことができる。代替案では、鍵本体は、平坦な外部表面を備え得る。
【００３３】
鍵は、鍵本体に対して可動に配置され且つ鍵の付加的なコーディングとして機能する部品を、さらに含むことができる。可動部品は、ピン、円板、及びバネのうちの少なくとも１つを備えることができる。
【００３４】
鍵は、鍵の付加的なコーディングのために、電子センサ、生物測定センサ、磁気センサ、及び／又は光センサのうちの少なくとも１つを含むことができる。
【００３５】
鍵は、少なくとも１つのコーディング・キャビティーが形成される第１の端部と、鍵の付加的なコーディングを含む第２の端部とを有することができ、第１及び第２の端部は、錠に挿入可能である。
【００３６】
鍵は、少なくとも部分的に、金属、セラミック、及び／又はプラスチックで作られ得る。
【００３７】
鍵を認証するために、機械的、電気的、電子的、磁気的、及び光学的な手段のうちの少なくとも１つが使用され得る。
【００３８】
アンダカットは、コーディング・キャビティーが延在する延長方向で見たときに壁の後方部分が壁の前方部分で隠されるように、コーディング・キャビティーが設けられる鍵本体部分の壁に作りつけられる。内部アンダカットは、コーディング・キャビティーの前方開口部又は側壁開口部を通して延長方向から見たときに定義されたように構成され得る。
【００３９】
中空幾何形状は、コーディング・キャビティーに対して軸線方向及び／又は径方向に延在し得る。
【００４０】
中空幾何形状、具体的には内部アンダカットは、突出構造及び溝構造のうちの少なくとも１つを備え得る。突出構造及び／又は溝構造は、サイナス線及び非サイナス線のうちの少なくとも１つを有する波線に沿って延在し得る。突出構造及び／又は溝構造は、交差するチャネル区間が任意選択で設けられる、チャネルに沿って延在し得る。チャネルの形状は、その伸張範囲に沿って、例えばチャネル深さ及びチャネル幅のうちの少なくとも１つに関して変化し得る。
【００４１】
突出構造及び溝構造のうちの少なくとも１つは、交差区間を備え得る。
【００４２】
中空幾何形状、具体的には内部アンダカットは、コーディング・キャビティーの長手軸線に対して対称に延在し得る。
【００４３】
中空幾何形状、具体的には内部アンダカットは、１つ又は複数の曲線状区間、例えば弧に沿って延在する区間を備え得る。曲線状のコード化構造の隣り合った区間は、コーディング・キャビティーの長手軸線に関して異なる角度を備え得る。隣り合った区間は、それぞれ、コーディング・キャビティーの長手軸線に関して正及び負の角度を備え得る。正及び負の角度は、同じ値であってもよいし異なる値であってもよい。隣り合った区間は、サイナス線及び非サイナス線のうちの少なくとも１つを有する波線に沿って設けられ得る。
【００４４】
内部アンダカットは、錠の認証手段を受け入れるか又はそれと係合するように構成されることができ、認証手段は、伸張位置と非伸張位置との間で可動である。１つ又は複数の伸縮ピンが存在し得る。
【００４５】
鍵は、鍵ハンドリング部分の両側に設けられた第１及び第２の鍵本体部分を備える両面鍵であってもよく、第１及び第２の鍵本体部分はそれぞれ、鍵コード化構造を備える。片側又は両側上の鍵コード化構造は、鍵をコード化するための中空幾何形状を画定するコーディング・キャビティーを備え得る。
【００４６】
コーディング・キャビティーは、シリンダ形状を備え得る。シリンダの断面は、円形、三角形、矩形、及び楕円形のうちの１つであり得る。コーディング・キャビティーはまた、非シリンダ形状、例えば十字形状を備え得る。
【００４７】
鍵のコード化のために、コーディング・キャビティーは、不連続溝、内部鍵歯、内部くり抜き、及び内部カム輪郭のうちの少なくとも１つを内部に備え得る。内部鍵歯は、輪郭、深さ、及びサイズのうちの少なくとも１つに関して各鍵歯が相違する３Ｄ構造を備え得る。鍵歯は、１つ又は複数の回転ピンと係合するように構成され得る。複合的な深さのキャビティーを設けることができ、それにより、鍵が伸縮ピンとの使用に適合される。
【００４８】
鍵本体部分は、コーディング・キャビティー及び中空幾何形状と重なり合うスリットを備え得る。スリットは、少なくとも部分的にコーディング・キャビティーを貫通し得る。
【００４９】
鍵を製造するために、付加製造法が使用され得る。付加製造法は、非常に複雑な入り組んだ特徴を作り出すことを、内部領域においてすら可能にする。例えば、粉末材料とレーザ出力との組合せにより鍵の幾何形状が層ごとに構築される、選択的レーザ溶融法（ＳＬＭ：ｓｅｌｅｃｔｉｖｅ  ｌａｓｅｒ  ｍｅｌｔｉｎｇ）が使用される。他の使用可能な付加製造法は、レーザ焼結法、レーザ溶融法、電子ビーム溶融法、熱溶解積層法、材料噴射法、感光性樹脂噴射法、結合剤噴射法、ステレオリソグラフィ、及び射出成形法のうちの少なくとも１つを利用する。付加製造法は、非常に複雑な内部構造を作り出すことすら可能にする。したがって、従来の方法で複製することができずしたがって高度なセキュリティ水準を保証する固有のコーディングをそれぞれが有する、複数の鍵のセットを提供することが可能である。
【００５０】
錠に関するさらなる実施例について以下に説明する。
【００５１】
錠の認証手段は、少なくとも１つの従動要素を含むことができ、この従動要素は、鍵が鍵キャビティーに挿入されたときに鍵の少なくとも１つのコーディング経路と係合し且つそれを辿るように、可動に配置される。
【００５２】
鍵は、鍵を直線方向に動かすことにより鍵キャビティーに挿入可能であり、少なくとも１つの従動要素は、直線方向を横断する平面において可動である。
【００５３】
錠は、正しいコーディングを持つ鍵が錠の鍵キャビティーに挿入され、続いて回転されたときに駆動部品が回転可能であるように、構成され得る。
【００５４】
認証手段は、ハウジングに対して可動であり得る。
【００５５】
認証手段は、固定子上に可動に配置され且つ好ましくは円板状である少なくとも１つの従動要素を含み得る。
【００５６】
従動要素は、鍵が挿入されたときにコーディング・キャビティーに接触する少なくとも１つの突起を備え得る。
【００５７】
非ブロッキング状態において、認証手段は、固定子の周りを回転することができる部品を含み得る。
【００５８】
ブロッキング手段は、機械的構成要素を含むことができ、従動要素は、機械的構成要素の一部分を受け入れるための少なくとも１つのノッチを備える。
【００５９】
ブロッキング手段はバーを含み、このバーは、非ブロッキング状態において、固定子に作りつけられた溝と認証手段に作りつけられた溝との間で可動である。
【００６０】
錠は、バーを固定子の溝内に付勢するためのプレストレス手段を備え得る。
【００６１】
認証手段は、スペーサ要素間に配置された従動要素を含み、ブロッキング状態では、スペーサ要素は、固定子上に固定して配置され、従動要素は、固定子上に可動に配置される。
【００６２】
スペーサ要素は、鍵内での係合のための係合手段を備え得る。
【００６３】
鍵キャビティーは、鍵のコーディング・キャビティーを含む部分を受け入れるための環状断面を有し得る。
【００６４】
図面を参照しながら、さらなる実施例について以下に説明する。
【図面の簡単な説明】
【００６５】
【図１】本発明による錠と鍵の組立体の斜視図である。
【図２】図１による錠の分解組立図である。
【図３】ハウジングが示されていない、ブロッキング状態にある図１による錠の正面図である。
【図４】ハウジングが示されていない、非ブロッキング状態にある図１による錠の正面図である。
【図５】図１による錠に挿入された鍵の断面側面図である。
【図６】本発明による錠及び鍵を含む組立体の変形例の斜視図である。
【図７】本発明による錠のための従動要素の３つの変形例の斜視図である。
【図８】従動要素のための他の変形例の正面図である。
【図９】従動要素のための他の変形例の正面図である。
【図１０】従動要素のための他の変形例の正面図である。
【図１１】図１の鍵の斜視図である。
【図１２】図１１の鍵の一部断面にした図である。
【図１３】図１１による鍵の断面側面図である。
【図１４】本発明による鍵の別の実施例の斜視図である。
【図１５】図１４による鍵の前部の断面側面図である。
【図１６】図１４の鍵の中間平面に沿った断面図である。
【図１７】本発明による鍵の別の実施例の斜視図である。
【図１８】本発明による鍵の別の実施例の一部断面にした斜視図である。
【図１９】図１８の鍵の断面側面図である。
【図２０】本発明による鍵の他の実施例の一部断面にした斜視図である。
【図２１】本発明による鍵の他の実施例の一部断面にした斜視図である。
【図２２】本発明による鍵の他の実施例の一部断面にした斜視図である。
【図２３】本発明による鍵の他の実施例の一部断面にした斜視図である。
【図２４】本発明による鍵の別の実施例の斜視図である。
【図２５】本発明による鍵の別の実施例の斜視図である。
【図２６】図２５の鍵の別の斜視図である。
【図２７】本発明による鍵の別の実施例の側面図である。
【図２８】図２８の鍵の一部断面にした斜視図である。
【図２９】本発明による鍵の別の実施例の斜視図である。
【図３０】本発明による鍵の別の実施例の斜視図である。
【図３１】図３０の鍵の一部断面にした斜視図である。
【図３２】本発明による鍵の別の実施例の斜視図である。
【図３３】本発明による鍵の別の実施例の斜視図である。
【図３４】図３３による鍵の前部の断面側面図である。
【図３５】本発明による鍵の他の実施例の斜視図である。
【図３６】本発明による鍵の他の実施例の斜視図である。
【図３７】本発明による鍵の他の実施例の斜視図である。
【図３８】概略的に示された錠を一緒に示す図３０の鍵の斜視図である。
【図３９ａ】少なくとも１つの内部アンダカットを備える別の鍵の図である。
【図３９ｂ】少なくとも１つの内部アンダカットを備える別の鍵の図である。
【図３９ｃ】少なくとも１つの内部アンダカットを備える別の鍵の図である。
【図３９ｄ】少なくとも１つの内部アンダカットを備える別の鍵の図である。
【図４０ａ】内部アンダカットを備える追加的な鍵の図である。
【図４０ｂ】内部アンダカットを備える追加的な鍵の図である。
【図４０ｃ】内部アンダカットを備える追加的な鍵の図である。
【図４０ｄ】内部アンダカットを備える追加的な鍵の図である。
【図４１ａ】バー・ウェハ及びブロッキング・バーを備える錠の部品を含まない鍵の図である。
【図４１ｂ】バー・ウェハ及びブロッキング・バーを備える錠の部品を含む鍵の図である。
【図４２】内部アンダカット、並びに伸張したピン及びブロッキング・バーを備える錠の部品を有する鍵の図である。
【図４３ａ】内部アンダカットを有する鍵の図である。
【図４３ｂ】内部アンダカットを有する鍵の図である。
【図４３ｃ】内部アンダカットを有する鍵の図である。
【図４３ｄ】内部アンダカットを有する鍵の図である。
【図４４ａ】図４３の鍵と比較して僅かに異なる設計を有する鍵の図である。
【図４４ｂ】図４３の鍵と比較して僅かに異なる設計を有する鍵の図である。
【図４４ｃ】図４３の鍵と比較して僅かに異なる設計を有する鍵の図である。
【図４４ｄ】図４３の鍵と比較して僅かに異なる設計を有する鍵の図である。
【図４５ａ】前面から延在する内部アンダカットを有する鍵の図である。
【図４５ｂ】前面から延在する内部アンダカットを有する鍵の図である。
【図４５ｃ】前面から延在する内部アンダカットを有する鍵の図である。
【図４６ａ】曲線部を有する内部アンダカットを備える鍵の図である。
【図４６ｂ】曲線部を有する内部アンダカットを備える鍵の図である。
【図４６ｃ】曲線部を有する内部アンダカットを備える鍵の図である。
【発明を実施するための形態】
【００６６】
図１は、錠１０を鍵５０と共に示す。錠１０は、鍵５０を認証するための認証手段を封入するハウジング１１と、ブリッジ要素１３を介してハウジング１１に連結された端板１２と、ハウジング１１と端板１２との間隔に配置されたカム１４ａ付きの駆動要素１４とを備える。正しい鍵５０を挿入すると、駆動要素１４を回転させて、実際の施錠機構、例えばドアのボルト等を解錠又は施錠することができる。
【００６７】
錠１０は、中空幾何形状を有する鍵５０が挿入され得るように設計される。この目的のために、錠１０は、認証手段を包囲する鍵キャビティー１５を有する。鍵キャビティー１５は、コーディング・キャビティーが形成される（例えば、図１１のコーディング・キャビティー５５参照）鍵の一部分を受け入れるための環状形状を有する。
【００６８】
図２は、錠１０の種々の構成要素を示す。錠１０は固定子２０を含み、この固定子２０は、組み立てられた状態では、ハウジング１１及び駆動要素１４を通り抜けて、端板１２に形成された穴１２ａ内まで延在する。固定子２０は、一方の端には止め板２０ｂを備え、他方の端２０ａには穴１２に関して相補的な形状を有する非円形断面を備えた、ロッドの形態をなしている。したがって、組み立てられた状態では、固定子２０は、端板１２にしっかりと固定されて、その周りで鍵が認証手段の構成要素と共に回転することができる固定構成要素を形成する。
【００６９】
固定子２０は、固定子２０の中間部分２０ｄに沿って延在し且つブロッキング要素２１を受け入れる働きをする、溝２０ｃを有する。ブロッキング要素２１は、例えば、弾性手段、例えば１つ又は複数のバネ２２を使用することにより溝２０ｃに押し込まれるサイドバーとして形成される。
【００７０】
錠１０は、スペーサ要素２５及び従動要素２６をさらに含み、これらは−組み立てられた状態では−固定子２０上に交互に並んで配置される。各スペーサ要素２５は、固定子２０がそれを貫通することができるようにリングとして形成され、且つ、
−  ブロッキング要素２１の一部を受け入れるための、リングの内側に沿って軸線方向に延在するノッチ２５ａと、
−  リングの外側に沿って軸線方向に延在する突起２５ｂと、
−  例えばバーとして形成されるアライメント要素２７の一部分を受け入れるための、リングを貫いて軸線方向に延在する穴２５ｃと
を有する。
【００７１】
突起２５ｂは、鍵５０が錠１０の鍵キャビティー１５に挿入されると、鍵５０に形成された溝５９（図１１及び１２参照）と係合する。突起２５ｂの存在は、任意選択である。別の実施例では、スペーサ要素２５のうちの幾つか又は全てが、突起２５ｂを有さない。この場合、スペーサ２５の外表面は、円筒状である。
【００７２】
スペーサ要素２５のうちの幾つかは、リングの内側から外側に径方向に延在し且つバネ２２を受け入れるためのチャンバを形成する、止まり穴２５ｄを有する。
【００７３】
錠１０は、ストッパとして働く端部要素２８をさらに含み、この端部要素２８は−組み立てられた状態では−駆動要素１４に対接して位置する。端部要素２８は、アライメント要素２７の一部分を受け入れるためにそれを貫通する穴（図２では不可視）と、スペーサ要素２５のノッチ２５ａに類似したノッチ２８ａとを有する。
【００７４】
駆動要素１４は、固定子２０が貫通することができる第１の穴１４ｂと、アライメント要素２７の一部分を受け入れるための第２の穴１４ｃとを有する。
【００７５】
各従動要素２６は、円板様の形状を有し、且つ、
−  要素２６を貫いて軸線方向に延在する穴２６ａと、
−  径方向外方に延在する突起２６ｂと、
−  それを通過するアライメント要素２７に対して従動要素２６が回転され得るように曲線状に延在するスリット２６ｃと
を含む（図３も参照）。
【００７６】
穴２６ａは、ブロッキング要素２１のためのノッチ２６ｅを備えた凹部２６ｄを形成するために所与の角度範囲にわたって拡張された、円形断面を有する。凹部２６ｄは、曲線状であり、且つ、ブロッキング要素２１が部分的にのみ凹部２６ｄ内に係合し得るように選択された幅ｗを有する。この幅は、ブロッキング要素２１が完全にノッチ２６ｅ内に係合し得るように、ノッチ２６ｅの位置において拡大される。突起２６ｂの位置とノッチ２６ｅの位置との間の角度は、錠の唯一性を画定する。即ち、この角度を別々に選択することにより、様々な錠を提供することができる。
【００７７】
錠１０の組み立てられた状態では、スペーサ要素２５及び従動要素２６は、固定子２０上に止め板２０ｂと端部要素２８ｂとの間に配置される（図５も参照）。アライメント要素２７は、スペーサ要素２５の穴２５ｃ及び従動要素２６のスリット２６ｃを貫通し、さらに端部要素２８を通って駆動要素１４内まで延在する。それにより、アライメント要素２７は、スペーサ要素２５及び端部要素２８と駆動要素１４とを回転不能に接続する。最も外側のスペーサ要素２５から端部要素２８まで延在するブロッキング要素２１は、弾性手段２２により固定子２０の溝２０ｃに押し込まれ、それにより、要素１４、２５、２７、２８の回転が妨げられる。スリット２６ｃ及び凹部２６ｄにより、各従動要素２６は、固定子２０及び要素１４、２５、２７、２８に対して回転され得る。
【００７８】
以下に説明するように、錠１０のために用意される鍵５０が、例えば、特有の経路を画定する内部チャネルを有する。この幾何形状に起因して、鍵５０が挿入されると、従動要素２６は、対応する回転により鍵内の内部経路を角度的に辿る。従動要素２６は、鍵が完全に挿入されたときに、特定の回転位置に配置される。鍵５０が正しくない場合、ブロッキング要素２１が溝２０ｃ内に留まり、その結果、要素１４、２５、２７、２８及び鍵５０は回転され得ない。正しい鍵５０が挿入されると、全ての従動要素２６は、周囲のノッチ２６ｅが１列に並ぶように回転される。これらの１列に並んだノッチ２６ｅは、図４に示されるように、ノッチ２５ａ及び２８ａと共に、ブロッキング要素２１を受け入れることができる連続的な側部溝を形成する。その後の鍵５０の回転が、弾性手段２２の力に対抗するトルクを要素２５、２６に及ぼし、その結果、ブロッキング要素２１は溝２０ｃから解放されて、上述の連続的な側部溝に押し込まれる。最終的に、これにより、要素１４、２１、２２、２５〜２８を、鍵５０と共に固定子２０に対して回転させることが可能になる。
【００７９】
錠１０は、ブロッキング要素２１が溝２０ｃ内に滑り戻ることができるように鍵５０と共に要素１４、２１、２２、２５〜２８を逆方向に回転させることにより、再度施錠される。鍵５０が引き抜かれると、従動要素２６は、ノッチ２６ｅがもはや１列に並んでいない「ゼロ」位置に戻される。
【００８０】
図２に示された実施例の様々な変形例が考えられる：
−  固定子２０と回転部との間のブロッキング手段は、違うように設計されてもよい。例えば、２つ以上のブロッキング要素が設けられてもよい。ブロッキング要素は、バーではない形状を有してもよい。
−  従動要素２６の数は、自由に選択することができる。図６は、複数の従動要素２６が２つのスペーサ要素２５間に配置された実例を示す。従動要素２６の数を増やすことにより、唯一の錠の数を増やすことが可能である。
−  従動要素２６の突起は、円形（図７の突起２６ｂを参照）、正方形、円筒形（図７の突起２６ｂ’を参照）、又は鍵５０内の経路の従動を確実にする任意の他の形状とすることができる。突起はまた、例えば様々な深さの凹凸を持つ経路などの、鍵内のより複雑な経路の３次元的な従動を可能にするために、従動要素上に可動に配置されてもよい（ピン２６ｂ”と、ピン２６ｂ”が径方向に可動であるようにピン２６ｂ”に作用するバネ２２’とを含む従動要素を示す、図７の右手側を参照）。
−  錠は、従動要素が少なくとも１つの回転軸線及び／又は並進軸線において移動され得るように、設計される。図８は、図２の実施例の従動要素２６を示し、ここでは、従動要素２６は、矢印Ｃによって示されるように鍵の軸線の周りで回転され得る。図９は従動要素２６’を示し、この従動要素２６’は、回転運動に加えて、矢印Ａによって示されるように鍵の軸線に対して垂直な軸線に沿って変位され得る。この目的のために、穴２６ａ’の形状は、Ａ方向に拡大される。図１０は、従動要素２６”を示し、この従動要素２６”は、回転運動に加えて、矢印Ａ及びＢによって示されるように鍵の軸線に対して垂直な２つの軸線に沿って変位され得る。この目的のために、穴２６”の形状は、Ａ方向及びＢ方向に拡大される。
【００８１】
図１１から１３は、図２の錠１０のための鍵５０の様々な図を示す。鍵５０は、ハンドリング部分５１と、中空幾何形状を画定するコーディング・キャビティー５５を含む鍵本体５２とを有する。この幾何形状は、錠１０と共に使用されたときに認証される、鍵５０の固有のコーディングを画定する。幾何形状は、鍵本体５２の壁５３に作りつけられた少なくとも１つのアンダカットを含み、それにより、コーディング・キャビティー５５が延在する延長方向５４から見たときに、壁５３の後方部分が壁５３の前方部分で隠される。したがって、延長方向５４から見たときに、後方壁部分の幾何形状は見ることができない。幾何形状は、ネガ部分及び／又はポジ部分として、即ち、壁５３内の凹部及び／又は壁５３からコーディング・キャビティー５５内に突出する部分として形成される部分として、鍵本体５２の壁５３に形成され得る。
【００８２】
図１２及び１３に示された鍵５０は、壁５３の内側に形成され且つコーディング・キャビティー５５の前方端からコーディング・キャビティー５５の後方端まで延在する、チャネル６０の形態のコーディング経路を備える。チャネル６０は、互いに向かい合って配置され且つ壁５３と一体に作られた、２つの側部６０ｃ及び６０ｄによって画定される。
【００８３】
ここで、チャネル６０は、アンダカット６０ａ、６０ｂを含む部分が形成されるように、曲線状とされる。アンダカット６０ａ、６０ｂを画定する壁部分は、非環状であり、即ち、コーディング・キャビティー５５の延長方向５４の周りで３６０度延在するものではない。錠１０に鍵５０を挿入することにより、従動要素２６は、チャネル６０と係合して、固定子２０の周りで回転される。
【００８４】
壁５３の内側は、コーディング・キャビティー５５の前方端からその後方端まで延在する直線溝５９をさらに備える。図１２では、溝５９の片側部分のみが示されている。錠１０に鍵５０を挿入すると、スペーサ要素２５の突起２５ｂが溝５９と係合し、それにより鍵５０が案内されて、その挿入が促進される。鍵５０が正しいものであれば、鍵５０は、突起２５ｂと溝５９との係合を介してスペーサ要素２５にトルクが及ぼされるように回転され得る。
【００８５】
図１４から１６は、鍵５０’の別の実施例を示し、ここで、鍵本体５２’は、外部セキュリティ特徴を画定する凹み６３を含む平坦部分と、鍵本体５２’の前方端からその内部まで延在するコーディング・キャビティー５５’とを備える。コーディング・キャビティー５５’は、チャネル６２が形成された壁を備え、チャネル６２の形状は、１つ又は複数のアンダカットを画定する。凹み６３は、チャネル６２と共に、鍵５０’のコーディングを画定する。代替的な実施例では、鍵５０’は、キャビティー５５’の形態のコーディング・キャビティーが形成される幾つかの領域を備える。
【００８６】
鍵５０’に使用可能な錠は、ピン・タンブラ錠で使用されるような従来の部品と、追加的な認証部品とを備え得る。後者は認証手段を含み、この認証手段は、コーディング・キャビティー５５’の内側面を検知するために、鍵５０’が錠に挿入されたときにコーディング・キャビティー５５’内に導入されるように、錠の鍵キャビティー内に突出する。１つの実施例では、認証手段は、チャネル６２と係合することができる検知ヘッド付きの可動アームを含む。
【００８７】
キャビティー５５、５５’及び−存在するならば−凹み６３の幾何形状は、機械的手段によるコーディングとして機能する。セキュリティの水準を高めるために、他のセキュリティ特徴を追加することが考えられる。このセキュリティ特徴は、例えば、電子的、光学的、生物測定的、及び／又は磁気的な認証に基づいてもよい。
【００８８】
図１７は、コーディング・キャビティー５５に加えて、鍵本体５２上に配置された電子部品６４と、ハンドリング部分５１上に配置された生体測定センサ６５とを備える鍵を示す。
【００８９】
コーディング・キャビティー５５の固有の幾何形状を画定するための多くの実施例が考えられる。図１８及び１９は、鍵本体５２の壁５３に複数のチャネル６０、６１が形成された実例を示す。その数は、２つ以上であってもよい。
【００９０】
チャネルの断面は、例えば円形、多角形等、任意に選択することができる。図２０は、チャネル６０’が方形断面を有する実例を示す。図２１は、チャネル６０”が半６角形断面を有する実例を示す。チャネルの断面の形状及び／又は寸法は、チャネルの行路に沿って変化してもよい。
【００９１】
複数のチャネルを設ける場合、交差も可能である。図２２は、チャネル６０及び６１’が互いに交差する実例を示す。図２３は、互いに交差する２つのチャネル６０’及び６１’の類似の実例を示す。これらの実例では、チャネル６０及び６１’は異なる深さを有し、同様にチャネル６０’及び６１’も異なる深さを有する。
【００９２】
さらに、鍵本体の形状は任意に選択することができ、円筒形、多角形、例えば立方形、又は任意の他の筒状の形状とすることができる。図１１では、鍵本体５２は円筒形である。図２４に示された実例では、鍵５２”は扁平である。やはり扁平のコーディング・キャビティー５５’は−図１１の実例におけるように−１つ又は複数の内部アンダカットを含む固有の中空幾何形状を画定する。
【００９３】
挿入を促進するために、鍵は、使用者が鍵を錠１０の鍵キャビティー１５に対して正しい向きに容易に向けるのに役立つ視覚的位置決め特徴を備えることができる。図２５及び２６は、鍵本体５２が錠１０の鍵キャビティー１５の頂部に対応する前端部に印６７を有する実例を示す。ここでは印６７は、溝として形成されている。
【００９４】
鍵の挿入及び認証に利用可能な２つの向きが存在するように鍵を設計することも考えられる。この場合、キャビティー５５内のセキュリティ特徴及び−存在するならば−鍵本体５２、５２’上のセキュリティ特徴は、鍵の第１の向きにおいて、また、第１の向きから１８０°回転された第２の向きにおいて認証が可能であるように、対称に配置される。
【００９５】
場合により、鍵は、塵が容易に取り除かれるようにするために、また、コーディング・キャビティーの幾何形状が詰まらないようにするために、出口を有する。図２７及び２８は、壁５３を貫通するスリット６８を鍵本体５２が備える実例を示す。スリット６８は、コーディング・キャビティー５５内のチャネル６０が依然として連続的な行路を有するか又は１回若しくは複数回中断されるように設計される。
【００９６】
場合により、鍵は、多数の開口部を含む骨格様の構造を有する。図２９は、鍵本体５２に複数の開口部６９が形成された、対応する実例を示す。清潔さを確保するだけでなく、重量の軽減も達成することができる。
【００９７】
さらなる実施例が図３０から４６に示されている。
【００９８】
図３０及び３１は、中空シリンダ１０９の形状をしたセキュリティ鍵の実施例を示す。シリンダ１は、その内部にセキュリティ特徴を備える。図３１は、内部特徴及び形状１１０ａ及び１１０ｂの可能な解決法の実例を示す。
【００９９】
利用可能な特徴は、アンダカット、穴、溝、螺旋、さらには自由形式の形状である。
【０１００】
幾つかの内部特徴はまた、本体全体を貫通するか、さらには溝などの複雑な幾何形状を作り出す場合もある。図３２は、内部特徴のうちの幾つかが本体全体を貫通して穴１０７及び溝１０８として外部から見える、可能な鍵の幾何形状の斜視図である。
【０１０１】
図３３は、鍵の特定の領域１１１が中空であり且つ内部セキュリティ特徴及びアンダカット（図３４の断面図参照）を含む、可能な鍵の幾何形状の斜視図である。キャビティー１１１を画定する壁と一体に作られた非環状壁部分１１１ａにより、アンダカットが形成される。したがって、アンダカットは、壁の周りで３６０度未満にわたって延在して、離間した２つの端部を提供する。図３３の実例では、アンダカットが直線方向に延在する。
【０１０２】
さらに、鍵は、上述のセキュリティ鍵と標準的な鍵とを単体に組み合わせたものとされ得る。図３５は、セキュリティ鍵１０９と標準的な鍵１１２とを単体に組み合わせたものである、可能な鍵の幾何形状の斜視図である。
【０１０３】
さらに、鍵の中空形状は、鍵を１つのキャビティーに制限するものではない：内部特徴を備える２つ以上のキャビティーも可能である。図３６は、内部セキュリティ特徴を備えた２つのキャビティー１５５、１５５’を有する、可能な鍵の幾何形状の斜視図である。
【０１０４】
さらに、鍵は、さらなるセキュリティ水準をもたらすために、電子センサ、生物測定センサ、磁気センサ、若しくは光センサ、又はそれらのうちの幾つかの組合せと組み合わされてもよい。図３７は、さらなるセキュリティ水準をもたらすために電子／光センサ１１３及び生物測定センサ１１４と組み合わされた、可能な鍵の幾何形状の斜視図である。
【０１０５】
鍵に対応する物は、機械的手段、伝導率測定、磁気及び／又は光学的測定により、鍵のセキュリティ特徴を認証することができる。図３８は、例えば対応する錠１１５の一実例に配置された光センサ１１６によって認証される、可能な鍵の幾何形状の斜視図である。
【０１０６】
説明された鍵は、以下の利点を提供することができる。
【０１０７】
セキュリティ特徴は、中空本体の内側に隠され、したがって、鍵を切断しない限り、容易にはアクセスすることができない。内部３Ｄ特徴のコピーは、高度な光学的測定技法を必要とする。従来の方法による複製物の製造は、不可能である。複製物の製造は、現在のところ非常に高い市価を有する付加製造設備を必要とする。
【０１０８】
図２の錠は、鍵を認証するための１つの実施例に過ぎない。錠は、機械的手段、伝導率測定、磁気測定、光学的測定、又はそれらの手段の任意の組合せにより鍵が認証され得るように、設計することができる。
【０１０９】
図３９ａ〜ｄは、鍵のさらなる実施例を示す。鍵ハンドリング部２００ｂを含んで単体に作られた鍵本体部分２００ａが、中空幾何形状２０１を備える。分離された２つのコーディング・キャビティー２０２、２０３が存在する。コーディング・キャビティー２０２、２０３のそれぞれは、少なくとも１つの内部アンダカット２０２ａ、２０３ａを備える。図４０ａ〜ｄに示された鍵は、図３９ａ〜ｄの鍵と比較すると、コーディング・キャビティーのうちの１つ、即ちコーディング・キャビティー２０３しか備えていない。
【０１１０】
図４１ａ〜ｂは、中空幾何形状２１１を含むコーディング・キャビティー２１０を備えた鍵を示す。非直線状の行路を有するコーディング経路によって形成され得る少なくとも１つの内部アンダカットが、中空幾何形状２１１内に配置される。鍵は、少なくとも部分的に中空幾何形状２１１を貫通する、スリット２１４を備える。
【０１１１】
図４１ｂはまた、認証手段２１２及びブロッキング手段２１３を含む、錠の部品を示す。認証手段は、固定子（図示せず）上に可動に配置された１つ又は複数の従動要素２１２を含む。この実例では、従動要素２１２として３つのバー・ウェハが示されている。その数は、１つ、２つ、３つ、又はそれ以上でもよい。各従動要素２１２は、コーディング・キャビティー２１０の内側面を検知するように構成され、また、例えば図７に示された突起２６ｂ、２６ｂ’、２６”の形態をした、１つ又は複数の突起を備え得る。
【０１１２】
ブロッキング手段は、例えばブロッキング・バーの形態をしたブロッキング要素２１３を含む。各従動要素２１２は、ブロッキング要素２１３の一部分を受け入れるための溝部分２１２ａを備える。ブロッキング状態では、ブロッキング要素２１３は、図２における錠のブロッキング要素２１がプレストレス手段２２により固定子２０の溝２０ｃ内に付勢されるのと同様の形で、固定子に作りつけられた溝内に付勢され得る。
【０１１３】
鍵が錠に挿入されると、従動要素２１２は、コーディング・キャビティー２１０を貫通して、中空幾何形状２１１の１つ又は複数のコーディング経路を辿る。それにより、各従動要素２１２は、鍵が錠に導入される方向を横断する方向に、対応する形で移動する。正しいコーディングを有する鍵が使用された場合、従動要素２１２は、溝部分２１２ａが１列に並んでブロッキング要素２１３が受け入れられ得る溝を形成するように、正しい位置を有することになる。次いで、鍵と共に要素２１２、２１３を回転させることにより、錠を解錠状態にすることができる。
【０１１４】
図４２は、１つ又は複数の内部アンダカットを有する鍵と、認証手段２２０及びブロッキング手段２２１を含む錠の部品とを示す。認証手段は、固定子（図示せず）上に可動に配置され且つピンの形態とされ得る、１つ又は複数の従動要素２２０を含む。従動要素２２０は、コーディング・キャビティー２２２の内側面を検知するように構成される。この目的のために、従動要素２２０は、例えば図７に示された突起２６ｂ、２６ｂ’、２６ｂ”の形態をした、１つ又は複数の突起を備え得る。
【０１１５】
ブロッキング手段は、図４１ｂのブロッキング要素２１３と同様の形で可動に配置されたブロッキング要素２２１を含む。
【０１１６】
各従動要素２２０は、その軸線に沿って幾つかのノッチ２２０ａを備える。ノッチ２２０ａの深さは、他のノッチが正しくない深さを有するのに対し１つのノッチのみが正しい深さを有するように選択される。
【０１１７】
鍵が錠に導入されると、従動要素２２０は、コーディング・キャビティー２２２に部分的に受け入れられるように鍵のスリット２２３を貫通して、鍵の１つ又は複数のコーディング経路を辿る。それにより、各従動要素２２０は、鍵が錠に導入される方向を横断する方向に、対応する形で移動する。正しいコーディングを有する鍵が使用された場合、従動要素２１２は、正しい深さを持つ全てのノッチ２２０ａが１列に並んでブロッキング要素２２１が受け入れられ得る溝を形成するように、正しい位置を有することになる。次いで、鍵と共に要素２２０、２２１を回転させることにより、錠を解錠状態にすることができる。
【０１１８】
鍵の実際の構成によっては、図４１ｂ及び４２に示された錠の部品は、鍵を認証するためのさらなる手段と組み合わせて使用され得る。例えば、図４１ａ及び４２の鍵は、ここでは凹み２６３の形態である、外部セキュリティ特徴をも示す。要素２１２、２１３、又は２２０、２２１に加えて、錠の認証及びブロッキング手段は、外部セキュリティ特徴２６３の認証を可能にする適切な構成要素を有することができ、それにより、内部及び外部のセキュリティ特徴に関して正しいコーディングを有する鍵を使用したときに、錠を施錠状態又は解錠状態にすることができる。
【０１１９】
図４３ａ〜ｄは、鍵本体部分２３５に配置された中空幾何形状２３４の分離された２つのコーディング・キャビティー２３２、２３３内に設けられた内部アンダカット２３０、２３１を有する鍵を示す。各アンダカット２３０、２３１は、コーディング・キャビティー２３２、２３３を画定する壁と一体に作られた非環状壁部分によって形成される。
【０１２０】
図４４ａ〜ｄは、図４３ａ〜ｄにおける鍵と比較して僅かに異なる設計を有する鍵を示す。図４４ａ〜ｄに示された鍵は、図４３ａ〜ｄにおける鍵と比較すると、コーディング・キャビティーのうちの１つ、即ちコーディング・キャビティー２３３しか備えていない。
【０１２１】
図４５ａ〜ｃは、内部アンダカットを画定し且つコーディング・キャビティー２４２の前面から延在するコーディング経路２４０、２４１を有する鍵を示す。
【０１２２】
図４６ａ〜ｃは、曲線状部分２５０ａ、２５１ａを含む内部アンダカット２５０、２５１を備えた鍵を示す。内部アンダカット２５０、２５１は、溝の形態であり且つコーディング・キャビティー２５５の前方開口部２５４から延在している、それぞれのコーディング経路２５２、２５３内に設けられる。
【０１２３】
これまで説明してきた実施例のうちの少なくとも幾つかにおいて、鍵は、固体の鍵本体を有する。鍵の追加的なコーディングのための可動部品を含むように鍵を設計することも考えられる。例えば、鍵は、少なくとも１つの可動ピン及び／又は少なくとも１つの可動ディスクを含むことができる。可動部品は、鍵本体の外部及び／又は内部に配置され得る。
【図１】
0006563932.tif 000002
【図２】
0006563932.tif 000003
【図３】
0006563932.tif 000004
【図４】
0006563932.tif 000005
【図５】
0006563932.tif 000006
【図６】
0006563932.tif 000007
【図７】
0006563932.tif 000008
【図８】
0006563932.tif 000009
【図９】
0006563932.tif 000010
【図１０】
0006563932.tif 000011
【図１１】
0006563932.tif 000012
【図１２】
0006563932.tif 000013
【図１３】
0006563932.tif 000014
【図１４】
0006563932.tif 000015
【図１５】
0006563932.tif 000016
【図１６】
0006563932.tif 000017
【図１７】
0006563932.tif 000018
【図１８】
0006563932.tif 000019
【図１９】
0006563932.tif 000020
【図２０】
0006563932.tif 000021
【図２１】
0006563932.tif 000022
【図２２】
0006563932.tif 000023
【図２３】
0006563932.tif 000024
【図２４】
0006563932.tif 000025
【図２５】
0006563932.tif 000026
【図２６】
0006563932.tif 000027
【図２７】
0006563932.tif 000028
【図２８】
0006563932.tif 000029
【図２９】
0006563932.tif 000030
【図３０】
0006563932.tif 000031
【図３１】
0006563932.tif 000032
【図３２】
0006563932.tif 000033
【図３３−３４】
0006563932.tif 000034
【図３５】
0006563932.tif 000035
【図３６】
0006563932.tif 000036
【図３７】
0006563932.tif 000037
【図３８】
0006563932.tif 000038
【図３９ａ−３９ｂ】
0006563932.tif 000039
【図３９ｃ】
0006563932.tif 000040
【図３９ｄ】
0006563932.tif 000041
【図４０ａ−４０ｂ】
0006563932.tif 000042
【図４０ｃ】
0006563932.tif 000043
【図４０ｄ】
0006563932.tif 000044
【図４１ａ】
0006563932.tif 000045
【図４１ｂ】
0006563932.tif 000046
【図４２】
0006563932.tif 000047
【図４３ａ−４３ｂ】
0006563932.tif 000048
【図４３ｃ】
0006563932.tif 000049
【図４３ｄ】
0006563932.tif 000050
【図４４ａ−４４ｂ】
0006563932.tif 000051
【図４４ｃ】
0006563932.tif 000052
【図４４ｄ】
0006563932.tif 000053
【図４５ａ】
0006563932.tif 000054
【図４５ｂ】
0006563932.tif 000055
【図４５ｃ】
0006563932.tif 000056
【図４６ａ】
0006563932.tif 000057
【図４６ｂ】
0006563932.tif 000058
【図４６ｃ】
0006563932.tif 000059